(57)【要約】【課題】折り畳んだ状態では容易に携帯でき、使用時には容易に展開でき強度が強く壊れにくい正座椅子を提供する。【解決手段】折畳可能な正座椅子１であって、荷重を支持する一対の有底開口箱状の脚部２０と、座面１２を有すると共に前記座面１２の反対側に前記一対の脚部２０を収容する有底開口箱状の脚部収容部１４を有し、二分割された座部本体１０と、前記座面１２の反対側に位置付けられた回転軸１８で前記二分割された座部本体１０を回転可能に接続するヒンジ部１６と、前記座部本体１０の両端部で前記各脚部２０を収容位置と使用位置との間で回転可能に軸支する脚部軸２２と、を備え、前記各座部本体１０は、前記ヒンジ部１６の回転軸１８を中心に回転し、使用位置で相互に当接すると共に前記座面１２上に概略同一平面を形成する一方、折畳位置で前記脚部収容部１４に収容された一対の脚部２０が対向するように相互に重畳する。【選択図】図１
2020199127.tif 000002
【特許請求の範囲】
【請求項１】
折畳可能な正座椅子であって、
荷重を支持する一対の有底開口箱状の脚部と、
座面を有すると共に前記座面の反対側に前記一対の脚部を収容する有底開口箱状の脚部収容部を有し、二分割された座部本体と、
前記座面の反対側に位置付けられた回転軸で前記二分割された座部本体を回転可能に接続するヒンジ部と、
前記座部本体の両端部で前記各脚部を収容位置と使用位置との間で回転可能に軸支する脚部軸と、を備え、
前記各座部本体は、前記ヒンジ部の回転軸を中心に回転し、使用位置で相互に当接すると共に前記座面上に概略同一平面を形成する一方、折畳位置で前記脚部収容部に収容された一対の脚部が対向するように相互に重畳することを特徴とする正座椅子。
【請求項２】
折畳可能な正座椅子であって、
座面を有し、二分割された、それぞれ有底開口箱状の座部本体と、
前記各座部本体をそれぞれ収容する有底開口箱状の本体収容部を有する一対の脚部と、
前記一方の座部本体と前記一方の脚部、および前記他方の座部本体と前記他方の脚部をそれぞれ回転可能に接続する一対のヒンジ部と、
前記各ヒンジ部の回転軸を支持すると共に、前記座部本体の使用位置を規定する支持部材と、を備え、
前記各座部本体は、前記各ヒンジ部の回転軸を中心に回転し、使用位置で前記支持部材に当接すると共に前記座面上に概略同一平面を形成する一方、収容位置で前記本体収容部に収容された状態で対向するように重畳し、
前記各脚部は、前記各ヒンジ部の回転軸を中心に回転し、使用位置で前記各座部本体と概略直交し、折畳位置で前記本体収容部に収容された各座部本体が対向するように相互に重畳することを特徴とする正座椅子。
【請求項３】
前記脚部軸は、進退可能に設けられ、進出する方向に付勢された爪部を有し、
前記脚部軸の軸受部は、それぞれ前記爪部が嵌合することで前記脚部を所定の方向に平行移動可能とする溝部を有し、
前記各座部本体は、それぞれ前記脚部軸側の前記座面の裏面に凹状の固定部および前記固定部の外側に前記各脚部の回転角度を規制するストッパーを有し、
前記各脚部は、それぞれ収容位置から使用位置まで回転させると、前記ストッパーにより回転角度が規制され、前記爪部が進出することで前記溝部に嵌合し、前記各脚部の脚先と対向する端部が前記固定部に嵌合する方向に平行移動することでそれぞれ使用位置に固定され、
前記各脚部は、それぞれ使用位置から前記各脚部の脚先と対向する端部を前記固定部から引き抜くことで、前記爪部が退避し、回転させることで、前記各脚部が、それぞれ前記各座部本体の脚部収容部に収容されることを特徴とする請求項１記載の正座椅子。
【発明の詳細な説明】
【技術分野】
【０００１】
本発明は、コンパクトに折り畳み可能な正座椅子に関する。
【背景技術】
【０００２】
近年、住居の西洋化が進み、和室のない住居も増加している。また、日常生活で和室の畳の上で正座をする習慣も失われつつあり、正座に慣れていない人も増加している。一方で、正座をする機会が全く失われたわけではなく、日常生活で正座をしない人にとっても、冠婚葬祭等の場面において和室で正座をしなければならない状況は存在する。このような場面では、長時間の正座をしなければならないことも多いが、正座に慣れていない人にとっては、下肢を圧迫することによる血流の滞りなどにより足のしびれや痛みが起こり、不快で苦痛な時間となる。しかしながら、このような場面であるからこそ、足を崩すことも容易ではない。
【０００３】
このような場合、正座椅子を使用することがある。正座椅子を使用すると下肢を圧迫することによる血流の滞りが緩和されるため、足のしびれや痛みが起こりにくくなる。また、膝などが悪く普通に正座することが難しい人であっても、正座椅子を使用することで正座が可能となる場合もある。正座椅子は、座り心地を重視した大きく折り畳みができないもの、使用しない状況での収納性を重視した折り畳みができるもの、携帯性を重視したコンパクトな形状に折り畳みができるものなど、目的に合わせて、様々な形状、大きさのものが使用される。
【０００４】
特許文献１には、長方形の枠桟にナイロン網を固着した物を蝶番的構造に依り継ぎ合せ枠桟の両端下部に折畳のできる足を止金具で取付け携帯できる座椅子が開示されている。
【０００５】
特許文献２には、着座部４と筐体５を有する平坦状部材２と、この下面に折り畳み自在に連結して支持する脚部３等とからなり、脚部３は不使用時に筐体５の空間部６内に収納され、使用時には平坦状部材２，２をヒンジ７を中心に水平状態に開き、脚部３を開放することにより座椅子１となる、携帯式椅子・テーブルが開示されている。
【０００６】
特許文献３には、水平状態で固定され、軸着部を中心として一方側にのみ折畳み自在な一対の金属基板と、これら金属基板の裏側にそれぞれ形成されたガイド溝と、これらのガイド溝内に上記軸着部より所定の距離を置いてそれぞれ設けられたストッパ部と、先端を上記ガイド溝内に摺動可能に係合され上記ストッパ間でその開放角を規制されているとともに他端を一個所で回動可能に共通に支持された一対の支柱部材と、これら一対の支柱部材を一個所で共通に回動可能な状態に支持する支持部と、この支持部に設けられていて上記一対の支柱部材を開放方向に付勢する付勢ばねとからなり、上記一対の支柱部材は上記金属基板の折畳みと同時に折り畳まれ、上記折り畳まれた金属基板内に内装されるようになっている正座椅子が開示されている。
【先行技術文献】
【特許文献】
【０００７】
【特許文献１】実開昭４８−０６８６１５号公報
【特許文献２】特開２００１−２２４４４０号公報
【特許文献３】実開昭５４−０４７６１０号公報
【発明の概要】
【発明が解決しようとする課題】
【０００８】
しかしながら、特許文献１および２記載の正座椅子は、いずれも冠婚葬祭等の際に各自が携帯し持ち運ぶには、折り畳んだ状態でも大きくかさ張る形状となっている。
【０００９】
また、特許文献２および３記載の正座椅子は、正座椅子の足が逆ハの字になっているため、座る際に足を大きく開く必要がある。また、特許文献３記載の正座椅子は、キャップと本体が分離するため、キャップを紛失する虞がある。
【００１０】
本発明は、このような事情に鑑みてなされたものであり、折り畳んだ状態ではコンパクトでハンドバッグ、セカンドバッグ等に入れて容易に携帯でき、使用時には容易に展開でき強度が強く壊れにくい正座椅子を提供することを目的とする。
【課題を解決するための手段】
【００１１】
（１）上記の目的を達成するために、本発明は、以下のような手段を講じた。すなわち、本発明の正座椅子は、折畳可能な正座椅子であって、荷重を支持する一対の有底開口箱状の脚部と、座面を有すると共に前記座面の反対側に前記一対の脚部を収容する有底開口箱状の脚部収容部を有し、二分割された座部本体と、前記座面の反対側に位置付けられた回転軸で前記二分割された座部本体を回転可能に接続するヒンジ部と、前記座部本体の両端部で前記各脚部を収容位置と使用位置との間で回転可能に軸支する脚部軸と、を備え、前記各座部本体は、前記ヒンジ部の回転軸を中心に回転し、使用位置で相互に当接すると共に前記座面上に概略同一平面を形成する一方、折畳位置で前記脚部収容部に収容された一対の脚部が対向するように相互に重畳することを特徴としている。
【００１２】
これにより、折り畳んだ状態ではコンパクトな箱状で容易に携帯でき、使用時には容易に展開でき強度が強く壊れにくい正座椅子とすることができる。
【００１３】
（２）また、本発明の正座椅子は、折畳可能な正座椅子であって、座面を有し、二分割された、それぞれ有底開口箱状の座部本体と、前記各座部本体をそれぞれ収容する有底開口箱状の本体収容部を有する一対の脚部と、前記一方の座部本体と前記一方の脚部、および前記他方の座部本体と前記他方の脚部をそれぞれ回転可能に接続する一対のヒンジ部と、前記各ヒンジ部の回転軸を支持すると共に、前記座部本体の使用位置を規定する支持部材と、を備え、前記各座部本体は、前記各ヒンジ部の回転軸を中心に回転し、使用位置で前記支持部材に当接すると共に前記座面上に概略同一平面を形成する一方、収容位置で前記本体収容部に収容された状態で対向するように重畳し、前記各脚部は、前記各ヒンジ部の回転軸を中心に回転し、使用位置で前記各座部本体と概略直交し、折畳位置で前記本体収容部に収容された各座部本体が対向するように相互に重畳することを特徴としている。
【００１４】
このように、脚部に座部本体を収容することで、収納形状での正座椅子全体の大きさを、一定の長さが必要となる脚部の大きさ程度に抑制することができ、収納形状をよりコンパクトにできる。
【００１５】
（３）また、本発明の正座椅子において、前記脚部軸は、進退可能に設けられ、進出する方向に付勢された爪部を有し、前記脚部軸の軸受部は、それぞれ前記爪部が嵌合することで前記脚部を所定の方向に平行移動可能とする溝部を有し、前記各座部本体は、それぞれ前記脚部軸側の前記座面の裏面に凹状の固定部および前記固定部の外側に前記各脚部の回転角度を規制するストッパーを有し、前記各脚部は、それぞれ収容位置から使用位置まで回転させると、前記ストッパーにより回転角度が規制され、前記爪部が進出することで前記溝部に嵌合し、前記各脚部の脚先と対向する端部が前記固定部に嵌合する方向に平行移動することでそれぞれ使用位置に固定され、前記各脚部は、それぞれ使用位置から前記各脚部の脚先と対向する端部を前記固定部から引き抜くことで、前記爪部が退避し、回転させることで、前記各脚部が、それぞれ前記各座部本体の脚部収容部に収容されることを特徴としている。
【００１６】
これにより、使用時に脚部の端部が座部本体の凹状の固定部に嵌合し、脚部の嵌合した端部の面で荷重を支えるようになるため、回転の軸となる脚部軸に力がかからず、強度が強くなり壊れにくくなる。また、脚部の端部が座部本体の凹状の固定部に嵌合すると共に爪部が溝部に嵌合することで、脚部が倒れる虞が低減され、使用時の安定性が増す。
【発明の効果】
【００１７】
本発明によれば、折り畳んだ状態ではコンパクトな箱状で容易に携帯でき、使用時には容易に展開でき強度が強く壊れにくい正座椅子とすることができる。
【図面の簡単な説明】
【００１８】
【図１】第１の実施形態に係る正座椅子の収納形状の斜視図である。
【図２】第１の実施形態に係る正座椅子の使用形状の側面図である。
【図３】第１の実施形態に係る正座椅子の組み立て途中の下平面図である。
【図４】第１の実施形態に係る正座椅子の座部本体を座面の裏側から見た斜視図である。
【図５】（ａ）から（ｄ）は、それぞれ、第１の実施形態に係る脚部軸本体の斜視図、断面図、爪部およびバネの概略図である。
【図６】（ａ）から（ｃ）は、それぞれ、第１の実施形態に係る正座椅子の組み立ての手順を示す概念図である。
【図７】第２の実施形態に係る正座椅子の収納形状の斜視図である。
【図８】第２の実施形態に係る正座椅子の使用形状の側面図である。
【図９】第２の実施形態に係る正座椅子の組み立て途中の上平面図である。
【図１０】（ａ）から（ｃ）は、それぞれ、第２の実施形態に係る正座椅子の組み立ての手順を示す概念図である。
【発明を実施するための形態】
【００１９】
本発明者らは、座部および脚部を有底開口箱状の形状として、一方を他方の箱内に収納することで、折り畳んだ状態でコンパクトにでき、使用時には十分な強度とすることができることを見出し、本発明に至った。以下、本発明の実施形態について、図面を参照しながら説明する。
【００２０】
［第１の実施形態］
（正座椅子の構成）
図１は、本実施形態に係る正座椅子の収納形状の斜視図であり、図２は、使用形状の側面図であり、図３は、組み立て途中の下平面図である。正座椅子１は、二分割された座部本体１０、一対の脚部２０、ヒンジ部１６、脚部軸２２によって、基本的な構成がされている。
【００２１】
二分割された座部本体１０は、座面１２を有すると共に座面１２の反対側に一対の脚部２０をそれぞれ収容する有底開口箱状の脚部収容部１４を有する。このように、座部本体１０に脚部２０を収容する脚部収容部１４を有することで、脚部２０を収容位置にしたときの厚みが、座部本体１０の厚みと同程度になる。脚部収容部１４は、強度が保たれる範囲で、脚部軸２２側の側面がなくてもよい。
【００２２】
ヒンジ部１６は、座面の反対側に位置付けられた回転軸１８で二分割された座部本体１０を回転可能に接続する。このような構成により、各座部本体１０は、ヒンジ部１６の回転軸１８を中心に回転し、使用位置で相互に当接すると共に座面１２上に概略同一平面を形成する。このとき、各座部本体１０が側面で当接するため、使用形状の際に、二分割された座面１２の間に間隙ができない。これにより、座面１２に下方向に荷重を加えたときに、ヒンジ部１６および回転軸１８だけでなく、側面でも力を支えることとなり、強度が強くなる。また、使用者が座面１２の間隙に挟まれる虞が低減する。また、折畳位置で脚部収容部１４に収容された一対の脚部２０が対向するように相互に重畳する。これにより、収納形状での厚みが座部本体１０の厚みの２倍程度に抑えられる。
【００２３】
ヒンジ部１６を形成する軸筒は、各座部本体１０に設けられるが、それぞれの軸筒は、複数あることが好ましい。軸筒が複数あると、ねじれに強くなる。また、軸筒の数は各座部本体１０の辺の長さによって適切な数は異なるが、多すぎると構造が複雑になり、個々の軸筒の軸方向の長さが短くなり強度が弱くなるため、２以上４以下であることが好ましい。また、各座部本体１０に設けられる軸筒は、数が同一であることが好ましい。軸筒の数が同一である場合、ヒンジ部１６を同一の形状で組み合わされるように形成することができ、各座部本体１０を同一の形状にできる。
【００２４】
一対の脚部２０は、有底開口箱状に形成され、荷重を支持する。脚部２０が有底開口箱状に形成され、使用位置で座部本体１０と概略垂直になり、側面で荷重を支持することにより、荷重に対する強度が強くなると共に、軽量化できる。脚部軸２２は、座部本体１０の両端部で各脚部２０を収容位置と使用位置との間で回転可能に軸支する。
【００２５】
脚部軸２２は、進退可能に設けられ、進出する方向に付勢された爪部２２ｂを有し、脚部軸２２の軸受部４０は、爪部２２ｂが嵌合することで脚部２０を所定の方向に平行移動可能とする溝部４４を有し、座部本体１０は、脚部軸２２側の座面１２の裏面に凹状の固定部４６を有していることが好ましい。また、爪部２２ｂは、脚部２０の脚先と対向する端部の両側側面に設けられた爪穴に挿入され、固定されることが好ましい。図４は、このような構成を備える座部本体１０を座面１２の裏側から見た斜視図である。また、図５（ａ）から（ｄ）は、それぞれ、脚部軸本体２２ａの斜視図、脚部軸本体２２ａの断面図、爪部２２ｂ、および、爪部２２ｂを進出する方向に付勢するバネ２２ｃの概略図である。例えば、図５（ａ）〜（ｄ）に示すように、脚部軸本体２２ａのバネ挿入孔２２ｄにバネが２２ｃ挿入され、爪部２２ｂが爪部収納溝２２ｅに嵌合するように組み合わせることで、爪部２２ａを有する脚部軸２２を構成することができる。
【００２６】
このような構成により、脚部２０は、収容位置から使用位置まで回転させると、爪部２２ｂが進出することで溝部４４に嵌合し、脚部２０の脚先と対向する端部が固定部４６に嵌合する方向に平行移動することで使用位置に固定される。また、脚部２０は、使用位置から脚部２０の脚先と対向する端部を固定部４６から引き抜くことで、爪部２２ｂが退避し、回転可能となる。そして、回転させることで、脚部２０が、座部本体１０の脚部収容部１４に収容される。
【００２７】
これにより、使用時に脚部２０の端部が座部本体１０の凹状の固定部４６に嵌合し、脚部２０の嵌合した端部の面で荷重を支えるようになるため、回転の軸となる脚部軸２２に力がかからず、強度が強くなり壊れにくくなる。また、脚部２０の端部が座部本体１０の凹状の固定部４６に嵌合すると共に爪部２２ｂが溝部４４に嵌合することで、脚部２０が倒れる虞が低減され、使用時の安定性が増す。なお、爪部２２ｂは、強い力がかかる場合があるため、容易に変形しない金属などで形成されることが好ましい。
【００２８】
座部本体１０は、脚部軸２２側の座面１２の裏面に脚部２０の回転角度を規制するストッパー４８を有していることが好ましい。これにより、脚部２０は、収容位置から使用位置まで回転させると、ストッパー４８により回転角度が規制され、脚部２０が倒れる虞が低減され、使用時の安定性が増す。
【００２９】
（正座椅子の組み立て）
上記で説明した機構により、本実施形態に係る正座椅子は、収納形状から容易に使用形状にすることができる。図６（ａ）から（ｃ）は、それぞれ、本実施形態に係る正座椅子の組み立ての手順を示す概念図である。まず、脚部が収容された座部本体を、座面が略同一平面になるまで開く（ステップＳ１）。次に、一方の座部本体の脚部収容部に収容された脚部を、座部本体と脚部が概略垂直になる位置まで回転させる（ステップＳ２）。そして、脚部を座部本体方向に垂直に平行移動させ、使用位置に固定する（ステップＳ３）。もう一方の脚部も同様に、回転させ（ステップＳ４）、平行移動し固定する（ステップＳ５）。なお、使用形状から収納形状にするためには、上記と逆の手順を辿ればよい。
【００３０】
［第２の実施形態］
（正座椅子の構成）
図７は、本実施形態に係る正座椅子の収納形状の斜視図であり、図８は、使用形状の側面図であり、図９は、組み立て途中の上平面図である。正座椅子２は、二分割された座部本体１０、一対の脚部２０、ヒンジ部１６、支持部材３０によって、基本的な構成がされている。
【００３１】
二分割された座部本体１０は、座面１２を有し、それぞれ有底開口箱状に形成される。本実施形態では、座面全体の中央部で荷重を支持するが、座部本体１０が有底開口箱状に形成されることで、荷重に対する強度が強くなると共に、軽量化できる。
【００３２】
一対の脚部２０は、各座部本体１０をそれぞれ収容する有底開口箱状の本体収容部２４を有する。このように、脚部２０に座部本体１０を収容する本体収容部２４を有することで、座部本体１０を収容位置にしたときの厚みが、脚部２０の厚みと同程度になる。本体収容部２４は、強度が保たれる範囲で、ヒンジ部１６側の側面がなくてもよい。
【００３３】
ヒンジ部１６は、一方の座部本体１０と一方の脚部２０、および他方の座部本体１０と他方の脚部２０をそれぞれ回転可能に接続する。また、支持部材３０は、各ヒンジ部１６の回転軸１８を支持すると共に、座部本体１０の使用位置を規定する。これにより、座面１２に下方向に荷重を加えたときに、ヒンジ部１６および回転軸１８だけでなく、当接する座部本体１０および支持部材３０の面でも力を支えることとなり、強度が強くなる。このとき、支持部材３０の座部本体１０と当接する面の裏面が、脚部２０の側面と当接する形状にすると、より強度が強くなるため好ましい。使用位置で、脚部２０の軸筒がずれるように形成してもよい。
【００３４】
このような構成により、各座部本体１０は、各ヒンジ部１６の回転軸１８を中心に回転し、使用位置で支持部材３０に当接すると共に座面１２上に概略同一平面を形成する一方、収容位置で本体収容部２４に収容された状態で対向するように重畳する。また、各脚部２０は、各ヒンジ部１６の回転軸１８を中心に回転し、使用位置で各座部本体１０と概略直交し、折畳位置で本体収容部２４に収容された各座部本体１０が対向するように相互に重畳する。これにより、収納形状での厚みが脚部２０の厚みの２倍程度に抑えられる。また、脚部２０に座部本体１０を収容することで、収納形状での正座椅子２全体の大きさを、一定の長さが必要となる脚部２０の大きさ程度に抑制することができ、収納形状を第１の実施形態と比較しても、よりコンパクトにできる。
【００３５】
ヒンジ部１６を形成する軸筒は、各座部本体１０、各脚部２０、および支持部材３０に設けられる。このとき、各座部本体１０、および支持部材３０に設けられる軸筒は、それぞれ、複数あることが好ましい。軸筒が複数あると、ねじれに強くなる。また、軸筒の数は各座部本体１０の辺の長さによって適切な数は異なるが、多すぎると構造が複雑になり、個々の軸筒の軸方向の長さが短くなり強度が弱くなるため、２以上４以下であることが好ましい。また、各座部本体１０、および支持部材３０に設けられる軸筒は、それぞれ、数が同一であることが好ましい。軸筒の数が同一である場合、一対のヒンジ部１６を同一の形状で形成することができ、各座部本体１０を同一の形状にすることができる。各脚部２０は、両端に軸筒が設けられているが、これ以外の構成にしてもよい。
【００３６】
（正座椅子の組み立て）
上記で説明した機構により、本実施形態に係る正座椅子は、収納形状から容易に使用形状にすることができる。図１０（ａ）から（ｃ）は、それぞれ、本実施形態に係る正座椅子の組み立ての手順を示す概念図である。まず、座部本体が収容された脚部を、座面が略同一平面になるまで開く（ステップＴ１）。次に、本体収容部に座部本体が収容された一方の脚部を、さらに回転させ、脚部と座部本体が概略垂直になる使用位置まで回転させる（ステップＴ２）。もう一方の脚部も同様に、回転させる（ステップＳ４）。なお、使用形状から収納形状にするためには、上記と逆の手順を辿ればよい。
【００３７】
本発明の正座椅子は、座部本体および脚部をいずれも有底開口箱状に形成し、一方を他方の箱内に収納可能としたことで、収納形状では、コンパクトで軽量な携帯が容易な箱状になる。また、使用形状では、座部および脚部が有底開口箱状であるため、軽量であっても十分な強度を有する。座部および脚部の有底開口箱状の底面は、強度が保たれる範囲で、メッシュ状にして、さらに軽量化をしてもよい。また、座部および脚部は、プラスチック、金属、木材等様々な材料で形成することができる。座部および脚部は、軽量化、強度、加工のしやすさ、経済性等の観点から、プラスチックで形成することが好ましい。また、ＦＲＰ（Fiber-Reinforced Plastics）等で形成してもよい。
【００３８】
なお、上記の実施形態は一例であり、本発明は、これに限定されるわけではない。
【００３９】
以上説明したように、本発明の正座椅子は、折り畳んだ状態ではコンパクトな箱状で容易に携帯でき、使用時には容易に展開でき強度が強く壊れにくい正座椅子である。
【符号の説明】
【００４０】
１、２  正座椅子
１０  座部本体
１２  座面
１４  脚部収容部
１６  ヒンジ部
１８  回転軸
２０  脚部
２２  脚部軸
２２ａ  脚部軸本体
２２ｂ  爪部
２２ｃ  バネ
２２ｄ  バネ挿入孔
２２ｅ  爪部収納溝
２４  本体収容部
３０  支持部材
４０  軸受部
４４  溝部
４６  固定部
４８  ストッパー
【図１】
2020199127.tif 000003
【図２】
2020199127.tif 000004
【図３】
2020199127.tif 000005
【図４】
2020199127.tif 000006
【図５】
2020199127.tif 000007
【図６】
2020199127.tif 000008
【図７】
2020199127.tif 000009
【図８】
2020199127.tif 000010
【図９】
2020199127.tif 000011
【図１０】
2020199127.tif 000012